(57)【要約】【課題】  原稿画像を一度読み込んで表示させなくとも、変倍条件の設定を可能とすることで、低解像度の表示部であっても条件設定を可能として、装置構成の効率化を図る。【解決手段】  この画像形成装置には、原稿画像を読み取り、画像データを生成する読取部と、読取部で生成された画像データを基とした画像を記録媒体に記録する画像記録部と、原稿画像の仮想イメージを表示する表示部と、表示部に表示された仮想イメージを基にして変倍条件が入力される入力部と、入力部に入力された変倍条件に基づいて画像データを変倍し、変倍後の画像データを基とした画像が記録媒体に記録されるように画像記録部を制御する制御部とが備えられている。制御部は、読取部による原稿画像の読み取り前に、表示部上の仮想イメージを基にして入力部に入力された変倍条件としての変倍基準点を基準に画像データを変倍する。【選択図】図２
2007336453.tif 000002
【特許請求の範囲】
【請求項１】
原稿画像を読み取り、画像データを生成する読取部と、
前記読取部で生成された画像データを基とした画像を記録媒体に記録する画像記録部と、
前記原稿画像の仮想イメージを表示する表示部と、
前記表示部に表示された前記仮想イメージを基にして変倍条件が入力される入力部と、
前記入力部に入力された変倍条件に基づいて前記画像データを変倍し、変倍後の前記画像データを基とした画像が記録媒体に記録されるように画像記録部を制御する制御部とを備え、
前記制御部は、前記読取部による前記原稿画像の読み取り前に、前記表示部上の前記仮想イメージを基にして前記入力部に入力された前記変倍条件としての変倍基準点を基準に前記画像データを変倍することを特徴とする画像形成装置。
【請求項２】
請求項１記載の画像形成装置において、
前記制御部は、前記読取部による前記原稿画像の読み取り前に、前記表示部上の前記仮想イメージを基にして前記入力部に入力された前記変倍条件としての変倍方向に向けて前記変倍基準を基準に前記画像データを変倍することを特徴とする画像形成装置。
【請求項３】
請求項１又は２記載の画像形成装置において、
前記読取部は、前記原稿画像の表面及び裏面の何れか一方を読み取り、
前記表示部は、読み取った前記原稿画像に基づいた前記仮想イメージを表示する事を特徴とする画像形成装置。
【発明の詳細な説明】
【技術分野】
【０００１】
本発明は、画像形成装置に係り、特に原稿等をスキャンして読み込んだ画像を記録媒体に形成する画像形成装置に関する。
【背景技術】
【０００２】
従来、原稿等をスキャンして読み込んだ画像を記録媒体に形成する画像形成装置が知られている。この画像形成装置には、読み取った画像を拡大・縮小して記録媒体に記録する機能が搭載されており、予め設定されている変倍基準点や変倍方向等の変倍条件に基づいて、変倍が実行されて記録媒体上に画像が記録されるようになっている。変倍条件の入力方式としては、例えば、一度原稿画像を読み取った後にその読取画像を表示部に表示させることで当該表示内容を参照可能とし、当該画像に基づいてユーザーにより変倍条件が入力される画像形成装置が開発されている（例えば、特許文献１記載）。
【特許文献１】特開２００５−５７６８号公報
【発明の開示】
【発明が解決しようとする課題】
【０００３】
ここで上記の画像形成装置であると、原稿画像を一度読み取りその読取画像を表示部に表示させるために、読取内容が視認できるほどの解像度をもった表示部を搭載させる必要があった。
【０００４】
本発明の課題は、原稿画像を一度読み込んで表示させなくとも、変倍条件の設定を可能とすることで、低解像度の表示部であっても条件設定を可能として、装置構成の効率化を図ることである。
【課題を解決するための手段】
【０００５】
請求項１記載の発明に係る画像形成装置は、
原稿画像を読み取り、画像データを生成する読取部と、
前記読取部で生成された画像データを基とした画像を記録媒体に記録する画像記録部と、
前記原稿画像の仮想イメージを表示する表示部と、
前記表示部に表示された前記仮想イメージを基にして変倍条件が入力される入力部と、
前記入力部に入力された変倍条件に基づいて前記画像データを変倍し、変倍後の前記画像データを基とした画像が記録媒体に記録されるように画像記録部を制御する制御部とを備え、
前記制御部は、前記読取部による前記原稿画像の読み取り前に、前記表示部上の前記仮想イメージを基にして前記入力部に入力された前記変倍条件としての変倍基準点を基準に前記画像データを変倍することを特徴としている。
【０００６】
請求項２記載の発明は、請求項１記載の画像形成装置において、
前記制御部は、前記読取部による前記原稿画像の読み取り前に、前記表示部上の前記仮想イメージを基にして前記入力部に入力された前記変倍条件としての変倍方向に向けて前記変倍基準を基準に前記画像データを変倍することを特徴としている。
【０００７】
請求項３記載の発明は、請求項１又は２記載の画像形成装置において、
前記読取部は、前記原稿画像の表面及び裏面の何れか一方を読み取り、
前記表示部は、読み取った前記原稿画像に基づいた前記仮想イメージを表示する事を特徴としている。
【発明の効果】
【０００８】
本発明によれば、読取部による原稿画像の読み取り前に、表示部上の仮想イメージを基にして入力部に入力された変倍条件としての変倍基準点を基準に画像データが変倍されるので、原稿画像を一度読み込んで表示させなくとも、変倍条件の設定が可能となる。特に、仮想イメージが表示部に表示されているので、その仮想イメージを参照することでユーザーはどの地点を変倍基準点にするかを想像しやすく、意図に合った地点を基準点として入力することが可能となる。そして、仮想イメージは精細な画像でなく読み取り時の画像の向きや所定の位置が想像できればよい程度の画像であればよいので、低解像度の表示部であっても条件を設定することができ、従って装置構成を効率化することができる。
【発明を実施するための最良の形態】
【０００９】
以下、本実施形態における画像形成装置について図を参照にして説明する。図１は画像形成装置の概略構成を表す説明図である。図１に示す画像形成装置１０は、原稿から画像を読み取り、当該読み取った画像を紙等のシート状の記録媒体に画像記録するコピー機能や、パーソナルコンピュータ等から画像データを受信し、当該画像データを基とした画像を記録媒体上に記録して出力するプリンタ機能等を備えたデジタル複合機である。画像形成装置１０には、自動原稿送り装置２０、読取部３０、プリンタ部４０が備えられている。
【００１０】
自動原稿送り装置２０は、ＡＤＦ（Ａｕｔｏ  Ｄｏｃｕｍｅｎｔ  Ｆｅｅｄｅｒ）と呼ばれ、原稿載置トレイ２１に積載される原稿２を読取部３０の読取個所に一枚ずつ搬送するものである。また、自動原稿送り装置２０は、原稿２が両面原稿の場合、原稿２の片面読み取り後に原稿２の表裏を反転して再び読取部３０へ原稿２を搬送する。自動原稿送り装置２０には、原稿載置トレイ２１に積載される原稿２を最上部から順に搬送する第一給紙ローラ２２と、原稿２の読取個所であるコンタクトガラス３１に原稿２を密着させながら通過させるための密着ローラ２３と、第一給紙ローラ２２により搬送された原稿２を密着ローラ２３に沿って案内する案内ローラ２４と、コンタクトガラス３１を通過した原稿２の搬送方向を切り替える切替爪２５と、原稿２の表裏を反転させるための反転ローラ２６と、読み取りが完了した原稿２が排出される排紙トレイ２７と、原稿載置トレイ２１に原稿２があるか否かを検出するためのトレイセンサ（図示省略）とが備えられている。
【００１１】
読取部３０は、自動原稿送り装置２０により搬送された原稿２から画像を読み取り、当該画像を表す画像データを生成し、制御部１００（図２参照）に出力する。読取部３０には、光源３３及びミラー３４を備えた露光走査部３５と、原稿２からの反射光を受光しその光強度に応じた電気信号を出力するラインイメージセンサ３６と、原稿２からの反射光をラインイメージセンサ３６へ集光する集光レンズ３７と、露光走査部３５のミラー３４からの反射光をラインイメージセンサ３６へ導くための光学経路を形成する各種ミラー３８と、プラテンガラス３２上に原稿２があるか否かを検出するためのプラテンセンサ（図示省略）が備えられている。
【００１２】
自動原稿送り装置２０により搬送された原稿２が読み取られる場合、露光走査部３５がコンタクトガラス３１の下方の読取個所へ移動して停止し、その上を密着ローラ２３により搬送される原稿２の画像が読み取られる。片面読み取り時においては原稿載置トレイ２１上に載置された原稿２の上面（表面）側の画像がコンタクトガラス３１を通過し、読み取られることになる。一方、両面読み取り時においては原稿載置トレイ２１上に載置された原稿２の表面側の画像がコンタクトガラス３１を通過し、読み取られた後に、原稿２が反転されるので、下面（裏面）側の画像がコンタクトガラス３１を通過し、読み取られることになる。
【００１３】
プラテンガラス３２上に載置された原稿２が読み取られる場合には、プラテンガラス３２の下面に沿って左から右へと露光走査部３５が移動して静止状態の原稿２が読み取られる。つまり、プラテンガラス３２上に載置された原稿２の裏面側の画像が露光走査部３５によって読み取られることになる。
このように読取部３０は、原稿２の画像を表面及び裏面の何れか一方向で読み取ることが可能となっている。
【００１４】
プリンタ部４０は、画像データにより表される画像を電子写真プロセスにより記録媒体上に形成するものである。プリンタ部４０に、画像データに応じてＯＮ／ＯＦＦするレーザ光を出力するレーザユニット４２と、表面に静電潜像が形成される感光体４３と、その周囲に配置された帯電装置４４と、現像装置４５と、転写装置４６と、分離装置４７と、クリーニング装置４８とが備えられている。
【００１５】
感光体４３は、円筒形状を有すると共に、図示しない駆動部により一定方向（図中符号Ａに示す方向）に回転されるようになっている。帯電装置４４は、コロナ放電により感光体４３を一様に帯電させるものである。このように一様に帯電された感光体４３の表面が、画像データに応じてＯＮ／ＯＦＦするレーザ光で走査されることにより、感光体４３の表面に静電潜像が形成される。
【００１６】
現像装置４５は、感光体４３の表面に形成された静電潜像をトナー像として顕在化する。
【００１７】
転写装置４６は、電界を与えることで感光体４３表面のトナー像を記録媒体に静電的に転写し、分離装置４７は、除電により感光体４３から記録媒体を分離する。
【００１８】
クリーニング装置４８は、転写後に感光体４３上に残ったトナーをブレード等で擦って除去し回収する。当該回収されたトナーは図示しない搬送路を通じて現像装置４５に戻さ
れる。定着装置４９は、記録媒体上のトナー像を加圧加熱して記録媒体に固着させる。
【００１９】
給紙部６０には、複数の給紙カセット６１が備えられている。これらの中には、通常、サイズや紙種等、異なる記録媒体が収容される。第二給紙ローラ６２は、給紙カセット６１に収容された記録媒体を最上部から一枚ずつ搬送部７０に向けて搬送する。
【００２０】
搬送部７０には、給紙カセット６１から搬送された記録媒体を感光体４３と転写装置４６との間の転写個所を通過させ、更にその下流の定着装置４９を経て機外（後続の画像形成後処理装置９０）に排出する通常搬送路７０ａと、定着装置４９を通った記録媒体の表裏を反転させた後、転写個所の上流で再び通常搬送路７０ａに合流させる反転搬送路７０ｂとが備えられている。
【００２１】
最初に通常搬送路７０ａを通る際に記録媒体の表面に画像が形成され、反転搬送路７０ｂを通過した後再び通常搬送路７０ａを通る際に記録媒体の裏面に画像が形成されるようになっている。
【００２２】
定着装置４９の後方（下流側）には、記録媒体の搬送路を切り替える搬送路切替爪７５が配置されている。搬送路切替爪７５を図中点線で示す水平位置にすると、排紙方法がストレート排紙となり、定着後の記録媒体は搬送路Ｃを直進して排出される。搬送路切替爪７５を図中実線で示す傾斜位置にすると、記録媒体は搬送路Ｄにより搬送される。
【００２３】
搬送路Ｄにより搬送された記録媒体は、両面印刷時における表面への画像形成後には、そのまま反転搬送路７０ｂへ搬送されて裏面に対する画像形成が行われる。片面印刷時等、画像形成後の記録媒体の表裏を反転して排出する場合は、搬送路Ｄにより搬送された記録媒体の後端が、分岐点に配置された反転ローラ７６に到達すると、当該反転ローラ７６が逆転駆動される。これにより、記録媒体は、搬送路Ｆにより搬送され、表裏が反転されたフェースダウンの状態で排出される。
【００２４】
図２は画像形成装置１０の主制御構成を表すブロック図である。この図２に示すように、読取部３０には、ラインイメージセンサ３６、スキャナ制御部２１０が備えられている。ラインイメージセンサ３６は、ＣＣＤ（Charge Coupled Devices）等によって成り、プラテンガラス３２に載置された原稿２から光電変換によって画像を読み取り、制御部１００の読み取り処理部１０１に出力する。スキャナ制御部２１０は、光源３３の点灯制御や露光走査部３５の移動制御等を行う。
【００２５】
操作表示部２２０には、液晶ディスプレイ等から成る表示部２２１と、そのディスプレイ上に敷設されたタッチスイッチ及びその他のスイッチ等から成る入力部２２２と、表示部２２１及び入力部２２２の動作を制御する操作制御部２２３とが備えられている。
【００２６】
表示部２２１には、各種情報や条件設定画面が表示されるようになっている。図３は変倍条件を設定するための設定画面を表す説明図である。図３に示すように、変倍条件設定画面Ｇ１には、他の設定画面に切り替えるためのタブ３０１と、任意の倍率にするためのプラスキー３０２、マイナスキー３０３と、予め指定された倍率に変倍するための指定倍率キー３０４と、設定倍率値を表す倍率表示部３０６と、読み取られる原稿画像の仮想イメージが表示される仮想イメージ表示部３０７とが設けられている。
【００２７】
仮想イメージ表示部３０７には、原稿載置トレイ２１に載置された原稿２の画像を読み取る場合であると、図４に示す原稿２の表面の画像を想像させるイメージ画像Ｉ１と、原稿載置トレイ２１を模したトレイ画像Ｉ２とが表示される。一方、プラテンガラス３２に載置された原稿２の画像を読み取る場合であると、仮想イメージ表示部３０７には、図５に示す原稿２の裏面の画像を想像させるイメージ画像Ｉ３と、プラテンガラス３２及びその周辺部分を模したプラテン画像Ｉ４とが表示される。図４、図５に示す通り、原稿載置トレイ２１上の原稿画像読み取り時においては、読み取り画像が正常な向きであり（図４参照）、プラテンガラス３２上の原稿画像読み取り時においては、読み取り画像が反転された向きとなる（図５参照）。
【００２８】
入力部２２２には、各種指示及び条件が入力されるようになっている。この条件には、読取部３０で生成された画像データを拡大・縮小するための変倍条件が含まれている。変倍条件には、変倍処理時の基準となる変倍基準点や、変倍基準点からの変倍方向、変倍の倍率などが含まれている。そして、変倍条件入力時においては、表示部２２１に表示された仮想イメージを基にしてユーザーが入力部２２２を操作することで、変倍条件が入力されるようになっている。
【００２９】
プリンタ部４０には、レーザユニット４２と、プリンタ制御部２３０とが備えられている。プリンタ制御部２３０は、ポリゴンミラーの回転を制御する他、帯電装置４４、転写装置４６、分離装置４７への電圧印加、感光体４３の回転、現像装置４５、クリーニング装置４８、定着装置４９、給紙部６０、搬送部７０等の動作を統括的に制御する。このプリンタ部４０が、読取部３０で生成された画像データを基にした画像を記録媒体に記録する本発明に係る画像記録部である。
【００３０】
スキャナ制御部２１０、操作制御部２２３、プリンタ制御部２３０は、それぞれ図示しないＣＰＵ、ＲＯＭ、ＲＡＭ等を備え、当該ＲＯＭに格納されたプログラムを実行することにより各種制御を行う。
【００３１】
制御部１００には、読み取り処理部１０１、ＤＲＡＭ制御部１０２、圧縮部１０３、伸張部１０４、画像メモリ１０５、書き込み処理部１０６、不揮発メモリ１０７、画像制御部１１０が備えられている。
【００３２】
読み取り処理部１０１は、読取部３０により出力される画像データに対してＡ／Ｄ変換処理、拡大処理、鏡像処理、誤差拡散による２値化処理等を施す。
【００３３】
圧縮部１０３は、当該２値化された画像データを圧縮し、伸張部１０４は、当該圧縮された画像データを元のイメージデータに伸張する。
【００３４】
画像メモリ１０５は、上記圧縮された画像データを蓄積する圧縮メモリ１０５ａを備える。
【００３５】
書き込み処理部１０６は、画像メモリ１０５から読み出されて伸張された画像データを、プリンタ部４０の動作に応じたタイミングでレーザユニット４２へ出力する。
【００３６】
ＤＲＡＭ制御部１０２は、ダイナミックＲＡＭからなる画像メモリ１０５へのリード・ライト及びリフレッシュのタイミング制御や、画像データを圧縮して画像メモリ１０５に格納したり画像メモリ１０５から圧縮データを読み出して伸張したりする際のタイミング
制御等を行う。
【００３７】
画像制御部１１０は、ＣＰＵやＲＯＭ、ＲＡＭ等を備え、当該ＣＰＵが当該ＲＯＭに格納されたプログラムと、入力部２２２に入力された各種指示及び条件とを実行することにより、画像形成装置１０の動作全体を統括的に制御し、画像データの流れを管理したり、ジョブの予約登録や実行を管理したり、各種処理に基づく表示を表示部２２１に表示させたりする。
不揮発メモリ１０７は、電源ＯＦＦ後もユーザーデータやシステムデータ等を記憶する。
【００３８】
ここで、制御部１００は、入力部２２２に変倍条件が入力されている場合には、その変倍条件を基に、画像データを伸張する。具体的には、伸張部１０４は、読取部３０による原稿画像の読み取り前に、表示部２２１上の仮想イメージを基にして入力部２２２に入力された変倍条件（変倍基準点、変倍方向、倍率等）を基にして画像データを変倍する。なお、倍率には等倍も含まれる。これによって、ユーザーにより仮想イメージを基に設定された変倍条件が、条件設定後に読み取られて作成された画像データに反映されることになる。
【００３９】
次に、本実施形態の作用について説明する。図６は原稿画像の読み取り及び記録時の処理を表すフローチャートである。
ユーザーにより原稿２が原稿載置トレイ２１若しくはプラテンガラス３２上に載置されると、制御部１００は、入力部２２２に対して変倍指示が入力されているか否かを判断し（ステップＳ１）、入力されている場合にはステップＳ２に移行して、入力されていない場合にはステップＳ８に移行する。
【００４０】
ステップＳ２では、制御部１００はトレイセンサ及びプラテンセンサの検出結果から、どちらに原稿２が載置されているのかを判断し、トレイセンサの検出結果が「有」、プラテンセンサの検出結果が「無」の場合にはステップＳ３に移行して、トレイセンサの検出結果が「無」、プラテンセンサの検出結果が「有」の場合にはステップＳ４に移行する。なお、そして、いずれのセンサが「有」の場合にはエラーである旨が表示部２２１に表示されて、「無」の場合には待機状態である旨が表示部２２１に表示される。
【００４１】
ステップＳ３では、制御部１００は、操作表示部２２０を制御して、表示部２２１の仮想イメージ表示部３０７に図４に示すトレイ用の仮想イメージを表示させて、ステップＳ５に移行する。
ステップＳ４では、制御部１００は、操作表示部２２０を制御して、表示部２２１の仮想イメージ表示部３０７に図５に示すプラテン用の仮想イメージを表示させて、ステップＳ５に移行する。
【００４２】
ステップＳ５では、制御部１００は、変倍条件としての変倍基準点が入力部２２２に入力されたか否かを判断し、入力されていない場合にはその状態で待機し、入力されている場合にはステップＳ６に移行する。この変倍基準点の入力時には、ユーザーは表示部２２１に表示されているイメージ画像Ｉ１，Ｉ３を参照することができる。例えば入力部２２２が表示部２２１に積層したタッチパネルである場合には、イメージ画像の任意の位置をタッチすることで変倍基準点が入力される。変倍基準点が入力された場合には、その入力個所Ｐ１，Ｐ２が強調されたようにイメージ画像Ｉ１，Ｉ３が表示される（図７，図８参照）。
【００４３】
ステップＳ６では、制御部１００は、変倍条件としての変倍方向が入力部２２２に入力されたか否かを判断し、入力されていない場合にはその状態で待機し、入力されている場合にはステップＳ７に移行する。この変倍方向の入力時には、ユーザーは表示部２２１に表示されているイメージ画像Ｉ１，Ｉ３を参照することができる。例えば入力部２２２が表示部２２１に積層したタッチパネルである場合には、イメージ画像の任意の位置をタッチすることで、その点が変倍基準点に対してどの方向を向いているかによって、変倍方向（Ｙ１，Ｙ２）が入力される。変倍方向が入力された場合には、その入力個所Ｐ３，Ｐ４と変倍基準点Ｐ１，Ｐ２とを囲むようにイメージ画像Ｉ１，Ｉ３が表示される（図９，図１０参照）。
【００４４】
ステップＳ７では、制御部１００は、変倍条件としての倍率が入力部２２２に入力されたか否かを判断し、入力されていない場合にはその状態で待機し、入力されている場合にはステップＳ８に移行する。この倍率入力時には、ユーザーがプラスキー３０２、マイナスキー３０３若しくは指定倍率キー３０４等をタッチすることで、倍率が入力される。
【００４５】
ステップＳ８では、制御部１００は、読取部３０を制御して原稿画像を読み取らせて画像データを生成させて、ステップＳ９に移行する。
ステップＳ９では、制御部１００は、画像読取前に入力された変倍条件を基に、画像データを変倍し、ステップＳ１０に移行する。
ステップＳ１０では、制御部１００は、変倍された画像データを基にした画像が記録媒体に記録されるように、プリンタ部４０を制御し、終了する。
【００４６】
以上のように、本実施形態によれば、読取部３０による原稿画像の読み取り前に、表示部２２１上の仮想イメージＩ１，Ｉ３を基にして入力部２２２に入力された変倍条件を基準に画像データが変倍されるので、原稿画像を一度読み込んで表示させなくとも、変倍条件の設定が可能となる。特に、仮想イメージＩ１．Ｉ３が表示部２２１に表示されているので、その仮想イメージを参照することでユーザーはどの地点を変倍基準点にするかを想像しやすく、意図に合った地点を基準点として入力することが可能となる。そして、仮想イメージＩ１，Ｉ３は精細な画像でなく読み取り時の画像の向きや所定の位置が想像できればよい程度の画像であればよいので、低解像度の表示部２２１であっても条件を設定することができ、従って装置構成を効率化することができる。
【００４７】
なお、本発明は上記実施の形態に限らず適宜変更可能であるのは勿論である。
例えば、本実施形態では倍率の入力タイミングが変倍基準点や変倍方向の入力後となっている場合を例示して説明しているが、変倍基準点や変倍方向の入力前に倍率の入力タイミングがあってもよい。
【図面の簡単な説明】
【００４８】
【図１】本発明に係る画像形成装置の概略構成を表す説明図である。
【図２】図１の画像形成装置の主制御構成を表すブロック図である。
【図３】図１の表示部に表示される設定画面の一例を表す説明図である。
【図４】図３の設定画面に表示されるイメージ画像の一例を表す説明図である。
【図５】図３の設定画面に表示されるイメージ画像の一例を表す説明図である。
【図６】図１の画像形成装置で実行される原稿画像の読み取り及び記録時の処理を表すフローチャートである。
【図７】図３の設定画面に表示されるイメージ画像の一例を表す説明図である。
【図８】図３の設定画面に表示されるイメージ画像の一例を表す説明図である。
【図９】図３の設定画面に表示されるイメージ画像の一例を表す説明図である。
【図１０】図３の設定画面に表示されるイメージ画像の一例を表す説明図である。
【符号の説明】
【００４９】
２      原稿
１０      画像形成装置
２０      自動原稿送り装置
２１      原稿載置トレイ
２２      第一給紙ローラ
２３      密着ローラ
２４      案内ローラ
２５      切替爪
２６      反転ローラ
２７      排紙トレイ
３０      読取部
３１      コンタクトガラス
３２      プラテンガラス
３３      光源
３４      ミラー
３５      露光走査部
３６      ラインイメージセンサ
３７      集光レンズ
３８      各種ミラー
４０      プリンタ部（画像記録部）
４２      レーザユニット
４３      感光体
４４      帯電装置
４５      現像装置
４６      転写装置
４７      分離装置
４８      クリーニング装置
４９      定着装置
６０      給紙部
６１      給紙カセット
６２      第二給紙ローラ
７０      搬送部
７５      搬送路切替爪
７６      反転ローラ
９０      画像形成後処理装置
１００      制御部
１０１      処理部
１０２      制御部
１０３      圧縮部
１０４      伸張部
１０５      画像メモリ
１０５ａ    圧縮メモリ
１０６      処理部
１０７      不揮発メモリ
１１０      画像制御部
２１０      スキャナ制御部
２２０      操作表示部
２２１      表示部
２２２      入力部
２２３      操作制御部
２３０      プリンタ制御部
【図１】
2007336453.tif 000003
【図２】
2007336453.tif 000004
【図３】
2007336453.tif 000005
【図４】
2007336453.tif 000006
【図５】
2007336453.tif 000007
【図６】
2007336453.tif 000008
【図７】
2007336453.tif 000009
【図８】
2007336453.tif 000010
【図９】
2007336453.tif 000011
【図１０】
2007336453.tif 000012